(57)【要約】【課題】携帯型のコンピュータ装置等との有線接続または無線接続を可能にして、上記コンピュータ装置の入力手段であるマウスの機能を代行できる携帯電話装置を提供する。【解決手段】接触面の赤外線発光部１０１から発せられた光の反射光をカメラ部１０２にて検出する。赤外線発光部１０１から発せられた赤外線は、白い光として撮像されるので、モノクロで撮影することにより、検出が可能となる。本装置を移動させると、カメラ部１０２が、前記の水平面から反射された前記赤外光の変化を読み取る。この読み取り結果に対応して、本装置の制御回路と、ノートパソコンが備えるＣＰＵ等を介して、ノートパソコンの表示画面上のカーソルを移動させることができる（汎用の光学式マウスと同等の機能）。入力操作は、通常のマウスと同様に、操作面側が備える左クリックキー１０３及び右クリックキーと、ホイール１０４とを操作して行う。【選択図】図２
2012185692.tif 000002
【特許請求の範囲】
【請求項１】
使用者が操作する本装置筐体の操作面側に入力手段を備え、
本装置が載置される載置台の表面と接触する本装置筐体の接触面側に、赤外線を発光する発光手段と、前記赤外線が前記載置台の表面から反射する反射光を受光する受光手段と、を備え、
さらに、本装置筐体の内部に、本装置が移動した際に、前記入力手段、前記発光手段、及び前記受光手段から成る三者が協働して光学式のマウス機能を実現するように、前記三者を制御する制御手段を備えたことを特徴とする携帯電話装置。
【請求項２】
前記接触面側は、本装置の前記入力手段が設けられる前記操作面側の裏側に位置するものであることを特徴とする請求項１記載の携帯電話装置。
【請求項３】
筐体が折り畳み可能な折り畳み式携帯電話装置であることを特徴とする請求項２記載の携帯電話装置。
【請求項４】
マウス機能を必要とする情報処理装置とケーブルを介して通信できる有線通信手段を、さらに備えたことを特徴とする請求項１記載の携帯電話装置。
【請求項５】
前記有線通信手段はＵＳＢ規格に準拠したものであることを特徴とする請求項４記載の携帯電話装置。
【請求項６】
マウス機能を必要とする情報処理装置と無線で通信できる無線通信手段を、さらに備えたことを特徴とする請求項１記載の携帯電話装置。
【請求項７】
前記無線通信手段はＢｌｕｅｔｏｏｔｈ規格に準拠したものであることを特徴とする請求項６記載の携帯電話装置。
【請求項８】
前記制御手段は、前記有線通信手段を介する場合は、自動設定または使用者の指示により、前記発光手段と前記受光手段とを各々起動させ、かつ前記三者が協働してマウス機能を実現するように制御することを特徴とする請求項１乃至７のいずれか１項に記載の携帯電話装置。
【請求項９】
前記制御手段は、前記無線通信手段を介する場合は、自動設定または使用者の指示により、本装置の電池残量が足りる場合は前記発光手段と前記受光手段とを各々起動させ、かつ前記三者が協働して光学式のマウス機能を実現するように制御し、本装置の電池残量が不足している場合は前記有線手段を介して前記発光手段と前記受光手段とを各々起動させ、かつ前記三者が協働して光学式のマウス機能を実現するように制御することを特徴とする請求項１乃至７のいずれか１項に記載の携帯電話装置。
【請求項１０】
前記制御手段は、前記入力手段を介した手操作の操作量を、光学式のマウスを移動させた場合の移動量に代わる入力量として、制御に取り入れることを特徴とする請求項１乃至８のいずれか１項に記載の携帯電話装置。
【発明の詳細な説明】
【技術分野】
【０００１】
本発明は携帯電話装置に係り、特に、光学式マウスとして使用可能な携帯電話装置に関する。
【背景技術】
【０００２】
近年、ノート型パソコンが普及しているが、このノート型パソコンを持ち歩く際には、入力手段としてマウスも一緒に持ち歩くことが多い。
しかしながら、一般に、ノート型パソコンをマウスも含めて携帯することは、携帯点数が増えるので、使用者にとっては煩わしいものである。
また、トラックパッドに依る入力手段では、操作し難いと感じる使用者も多い。
そこで、従来から、ノート型パソコンを携帯する場合に生じる上記の不便さを解消することが望まれており、本発明に際しての課題であった。
【０００３】
上記課題に関係する公知技術としては、例えば、特許文献１に、無線マウスや無線テンキーを携帯電話に内蔵して、外出先でモバイルノートパソコンの操作性が向上するようにする技術が開示されている。具体的な構成として、携帯電話のボタンの１部をマウスやテンキーとして使いやすいよう改良し、マウスの動きを認識するモーションセンサー（光センサー、加速度センサー、角速度センサー等）を内蔵する。また、近距離無線通信規格（ブルートゥース，ＩＥＥＥ８０２．１，赤外線通信，微弱無線等）を内蔵する。さらに、本体がインターフェイス端子とインターフェイスプラグ（ＵＳＢ又はＩＥＥＥ１３９４等）により、２分割可能とする（無線マウスは重いと手が疲れる為、本発明を２つに切り離せる構造にした）。これにより、余計なコード類やアダプター無しで、パソコン用データ通信モジュールとしての使用やパソコン充電を可能にしている。
【０００４】
また、例えば、特許文献２には、携帯端末装置において、装置の携帯性を損なうことなく、表示画面上における指示記号の移動の操作性を向上させる技術が開示されている。
具体的には、携帯電話の本体に内蔵したカメラの撮像機能を利用して被写体の画像を撮像し、本体を動かすことにより生じる上記画像の変位に基づいて、表示部の画面上に表示された指示記号を移動させる。本体を操作台に載置したときに操作台の面上が撮像できるように、撮像レンズを操作台に対向する位置に設置し、本体に近接した被写体（操作台面）が撮像できるように、撮像レンズの焦点距離を短く設定できるようにすれば、本体を操作台面上でマウスのように操作することにより、指示記号を移動させることができる。このとき、自動焦点検出用の補助光発光装置の発光部をレンズ側に向け、操作面上の撮像されるエリアに補助光を照射して、撮像用の光を補うようにしても良いとしている。
【先行技術文献】
【特許文献】
【０００５】
【特許文献１】特開２００４−１４７２７２号公報
【特許文献２】特開２００４−１６４５５９号公報
【発明の概要】
【発明が解決しようとする課題】
【０００６】
ところで、外出先などで使用者がノート型パソコン等の携帯機器類を使用する際には、トラックパッドやトラックボールを使用することで入力操作の量が行える。
しかしながら、これらに不慣れなユーザにとっては、非常に操作しづらいため、外付け用のマウスを別途接続して使用するユーザも多い。但し、この場合は、前述のとおり、ノート型パソコンと共にマウス類も持ち運ばなければならず、携帯点数が増えた分だけお荷物となるし、持ち運び自体も煩わしいといった問題点が有る。
【０００７】
また、このような携帯性の事情に加えて、ワイヤレスタイプのマウスにあっては、例えば、外出先で電池が切れてしまった際には、これを使用することができない。
そこで、従来は、何らかの手段によって携帯性を向上させることなどが課題であった。
本発明は、携帯電話装置であって、本体の裏側に発光部及びカメラ部を設けることで、マウスと同等の仕組みを構成することと、このマウス代行の携帯電話装置を、ＵＳＢケーブルまたはＢｌｕｅｔｏｏｔｈ通信機能を介してノート型パソコンに接続できること、とを骨子としている。
【０００８】
本発明と、前述の特許文献１及び特許文献２記載の技術との差異は、以下に示すとおりである。
（１）  本発明の携帯電話装置では、マウスの入力部（より正確には入力指示部）が背面に有り、筺体が閉状態のままでのマウス利用が可能である。
（２）  本発明の携帯電話装置では、ノート型パソコンとＢｌｕｅｔｏｏｔｈ接続する際には、電池残量の確認を行った上で、さらに、ＵＳＢマウスに切り替えるか否かをユーザーに選択させることができる。
【０００９】
本発明は、上記従来の問題点に鑑みてなされたものであって、携帯型のコンピュータ装置等との有線接続または無線接続を可能にして、上記コンピュータ装置の入力手段であるマウスの機能を代行できる携帯電話装置を提供することを目的としている。
【課題を解決するための手段】
【００１０】
上記課題を解決するために、本発明に係る携帯電話装置は、使用者が操作する本装置筐体の操作面側に入力手段を備え、本装置が載置される載置台の表面と接触する本装置筐体の接触面側に、赤外線を発光する発光手段と、前記赤外線が前記載置台の表面から反射する反射光を受光する受光手段と、を備え、さらに、本装置筐体の内部に、本装置が移動した際に、前記入力手段、前記発光手段、及び前記受光手段から成る三者が協働して光学式のマウス機能を実現するように、前記三者を制御する制御手段を備えたことを特徴とする。
【発明の効果】
【００１１】
本発明によれば、ノート型パソコン等の携帯機器類が必要とするマウスの機能を本装置で代行することができるので、上記機器類を携帯する際の荷物数（携帯点数）が減り、マウスの置き忘れや紛失の心配も無くなる効果が有る。
【図面の簡単な説明】
【００１２】
【図１】本発明の実施形態に係る携帯電話装置の回路構成を示す構成図である。
【図２】本発明の実施形態に係る携帯電話装置の要部の外観構成を示す側面図である。
【図３】本発明の実施形態に係る携帯電話装置の要部の構成を示す平面図であり、図２（ａ）は台座表面と接触する接触面側、図２（ｂ）は操作面側を、それぞれ示すものである。
【図４】本発明の実施形態に係る携帯電話装置の、ＵＳＢマウス起動の場合の動作を示すフローチャート図である。
【図５】本発明の実施形態に係る携帯電話装置の、ワイヤレスマウス起動の場合の動作を示すフローチャート図である。
【図６】ポインティングデバイスを有する装置の１例としての構成図である。
【発明を実施するための形態】
【００１３】
本発明の携帯電話装置は、赤外線発光部及びカメラ機能部を有するものとし、光学式マウスとしても使用できるようにしている。
これにより、マウスに代えて、通常、多くの人が持ち歩いている携帯電話装置を利用することができるので、例えばノート型パソコン等の、マウス利用の携帯機器類の携帯性を一層向上させることができる。
以下、本発明の携帯電話装置及びコンピュータプログラム並びに光学式マウスの実施形態について、図面を参照して詳細に説明する。
なお、実施形態の説明では、本発明に係る携帯電話装置について詳述するが、本発明に係るコンピュータプログラムについては、この携帯電話装置に含まれる各構成要素として実現するためのプログラムであることから、当該プログラムに関する説明は以下の説明に含まれる。
【００１４】
図１は、本発明の実施形態に係る携帯電話装置の回路構成を示す構成図である。
同図に示す携帯電話装置１は、携帯電話としての主要な機能（公知の機能）を担う携帯電話機能部１１と、光学式マウスの制御機能と同等の制御機能を実現するマウス制御部１２と、ＵＳＢ規格に準拠した通信機能を担うＵＳＢ通信機能１３と、Ｂｌｕｅｔｏｏｔｈ規格に準拠した通信機能を担うＢｌｕｅｔｏｏｔｈ通信機能部１４と、を備える。
なお、ＵＳＢ通信機能１３と、Ｂｌｕｅｔｏｏｔｈ通信機能部１４とは、少なくともいずか一方が携帯電話機能部１１に含まれる構成としても良い。また、携帯電話機能部１１は、ゲーム機能等、既成の携帯電話装置が備えるアプリケーション機能を備えることができる。
ここでは、マウス制御部１２が、このマウスアプリケーション機能を実現するものとするが、この機能は携帯電話機能部１１に含めることも可能である。
【００１５】
図２は、本発明の実施形態に係る携帯電話装置の要部の外観構成を示す側面図である。
同図に示す本発明の実施形態に係る携帯電話装置１は、折り畳み式携帯電話装置であり、閉じた状態で、従来のマウスのように水平の載置台上面に置かれたものである。
同図において、本実施形態の携帯電話装置１は、赤外線発光部１０１と、カメラ部１０２と、左クリックキー１０３と、ホイール１０４と、を備える。
但し、この他に、図３（ａ）で示す右クリックキー１０５を備えている。
なお、ここでは、本発明の実施形態の携帯電話装置を、ノートパソコン（図示は省略）用のマウスとして使用する場合を説明するが、本発明の携帯電話装置１は、一般に、マウス機能を必要とする任意の情報処理装置用のマウスとして使用することが可能である。
【００１６】
図３は、本発明の実施形態に係る携帯電話装置の要部の構成を示す平面図であり、図３（ａ）は載置台上面と接触する接触面側、図３（ｂ）は操作面側を、それぞれ示すものである。
同図に示すように、本発明の実施形態に係る携帯電話装置１は、接触面側（図３（ａ））に、前述の赤外線発光部１０１とカメラ部１０２とを備え、操作面側（図３（ｂ））には、前述の左クリックキー１０３と、ホイール１０４と、左クリックキー１０５と、を備える。また、この他に、操作面側には、ＵＳＢ入出力部１０６と、表示部１０７と、を備える。
前述の、左クリックキー１０３と、ホイール１０４、右クリックキー１０５、赤外線発光部１０１、及びカメラ部１０２は、それぞれマウス制御部１２の制御を受け、前述のＵＳＢ入出力部１０６はＵＳＢ通信機能部１３に接続されている。
【００１７】
以下、図１〜３を参照して、本実施形態の携帯電話装置１の機能を説明する。
まず、基本機能として、接触面の赤外線発光部１０１から発せられた光（赤外線）の反射光をカメラ部１０２にて検出する。
赤外線発光部１０１から発せられた赤外線は、白い光として撮像されるので、モノクロで撮影することにより、該赤外光の検出が可能となる。
次に、本装置を移動させると、カメラ部１０２が、前記の水平面から反射された前記赤外光（反射光）の変化を読み取る。この読み取り結果に対応して、本装置が内蔵する前述のマウス制御部１２と、マウス機能を必要としているノートパソコンが備えるＣＰＵ等とを介して、該ノートパソコンが備える表示装置の表示画面上のカーソルを移動させることができる。
ちなみに、上記の機能は、汎用の光学式マウスと同等の機能である。
【００１８】
マウス入力操作は、操作面側が備える左クリックキー１０３及び右クリックキー１０５、及びホイール１０４を操作することにより行う。この入力方法についても、通常のマウスと同様であるため、これ以上の説明は省略する。
また、操作面側の表示部１０７により、マウス起動の際などには、必要に応じてポップアップ表示を行うことができる。本装置とノートパソコンとのインターフェイス機能は、ＵＳＢ入出力部１０６か、若しくはＢｌｕｅｔｏｏｔｈ通信機能によって実現する。
なお、ＵＳＢ入出力部１０６は、充電端子としての機能も併せ持つことができる。
【００１９】
図４は、本発明の実施形態に係る携帯電話装置の、ＵＳＢマウス起動の場合の動作を示すフローチャート図である。
以下、図１〜３を参照しながら、図４に示すフローチャートを使用して、本実施形態の携帯電話装置のＵＳＢマウス起動の場合の動作を示し、併せて、そのマウス機能について説明する。
但し、以下の説明では、本実施形態の携帯電話装置１が載置台（マウスパッド等）の上面と接触する面を「接触面」と称し、入力操作などを行う面を「操作面」と称する。
まず、待ち受け状態から、ステップＳ１では、携帯電話機能部１１は、本装置（携帯電話装置１）の状態が、図２に示すように折り畳まれた状態（即ち閉状態）であるか否かを検証し、前記装置が折り畳まれた状態（即ち閉状態）であれば、ステップＳ２に移り、本装置が折り畳まれていない状態（即ち開状態）であれば、通常のモデムとして使用される場合の処理ルーチン（図示は省略）に移る。
【００２０】
次に、ステップＳ２では、携帯電話機能部１１は、ＵＳＢケーブル、ＵＳＢ入出力部１０６、及びＵＳＢ通信機能部１３を介して、本装置とノートパソコンとが通信可能に接続されたことを感知する。
ステップＳ３では、携帯電話機能部１１は、設定項目である「自動設定」の有無を検証し、「自動設定」が無い場合はステップＳ５に移り、「自動設定」が有る場合はステップＳ４に進む。
ここで、「自動設定」とは、ＵＳＢケーブルを用いたＵＳＢ通信機能またはＢｌｕｅｔｏｏｔｈ通信機能により、本装置とノートパソコンとを接続した際、自動でマウスモードに遷移する設定のことである。
【００２１】
ステップＳ４では、携帯電話機能部１１は、「自動設定」有りの場合として、マウス制御部１２を介して赤外線発光部１０１を点灯させ、また、筐体背面のカメラ部１０２と、内蔵するマウス制御部１２とを起動させる。これにより、本装置を、マウスとして使用することが可能となる（即ち、マウス機能が実現される）。
他方、「自動設定」無しの場合は、ステップＳ５で、携帯電話機能部１１は、マウスモードに切り替えるか否かを使用者に確認し、マウスモードに切り替えることを使用者が選択した場合は、ステップＳ４に移り、これにてＵＳＢマウスとしての使用が可能となる。また、マウスモードに切り替えることを使用者が選択しなかった場合は、使用者の指示により、本装置が備えるその他の機能を起動する。ここで、その他の起動とは、例えば、データ転送、モデム利用、充電、等々である。
【００２２】
図５は、本発明の実施形態に係る携帯電話装置の、ワイヤレスマウス起動の場合の動作を示すフローチャート図である。
以下、図１〜３を参照しながら、図５に示すフローチャートを使用して、本実施形態の携帯電話装置のワイヤレスマウス起動の場合の動作を示し、併せて、そのマウス機能について説明する。
まず、ステップＳ２１では、待ち受け状態から、携帯電話機能部１１は、本装置（携帯電話装置１）の状態が、図２に示すように折り畳まれた状態（即ち閉状態）であるか否かを検証し、前記装置が折り畳まれた状態（即ち閉状態）であれば、ステップＳ２２に移り、本装置が折り畳まれていない状態（即ち開状態）であれば、通常のモデムとして使用される場合の処理ルーチン（図示は省略）に移る。
【００２３】
次に、ステップＳ２２では、携帯電話機能部１１は、Ｂｌｕｅｔｏｏｔｈ通信機能部１４を介して、携帯電話装置１の携帯電話機能部１１とノートパソコンとを通信可能に接続する。
ステップＳ２３では、携帯電話機能部１１は、設定項目てある「自動設定」の有無を検証し、「自動設定」が無い場合はステップＳ２６に移り、「自動設定」が有る場合はステップＳ２４に進む。
ステップＳ２４では、携帯電話機能部１１は、本装置の電池残量を確認し、本装置の電池残量が足りる場合はステップＳ２５に進み、また、本装置の電池残量が不足している場合はステップＳ２８に移る。
【００２４】
ステップＳ２５では、携帯電話機能部１１は、本装置の電池残量が足りる場合として、赤外線発光部１０１を点灯させ、背面のカメラ部１０２とマウス制御部１２とを起動させる。これにより、本装置を、ワイヤレスマウスとして使用することが可能となる（即ち、ワイヤレスマウス機能が実現される）。
他方、ステップＳ２６では、携帯電話機能部１１は、本装置の電池残量が不足している場合として、ＵＳＢマウスモードに切り替えるか否かを使用者に確認し、ＵＳＢマウスモードに切り替えることを使用者が選択した場合はステップＳ２９に進む。また、ＵＳＢマウスモードに切り替えることを使用者が選択しなかった場合はステップＳ２５に移る。
ステップＳ２９では、携帯電話機能部１１は、ＵＳＢ入出力部１０６を介してＵＳＢケーブルを接続するように、使用者に指示する。
【００２５】
ステップＳ３０では、携帯電話機能部１１は、ＵＳＢ入出力部１０６を介してＵＳＢケーブルが接続されたか否かを検証し、ＵＳＢ入出力部１０６を介してＵＳＢケーブルが接続された場合はステップＳ３１に移る。また、ＵＳＢ入出力部１０６を介してＵＳＢケーブルが接続されていない場合はステップＳ２９に戻る。
ステップＳ３１では、携帯電話機能部１１は、ＵＳＢ入出力部１０６を介してＵＳＢケーブルが接続された場合として、マウス制御部１２を介して赤外線発光部１０１を点灯させ、また、背面のカメラ部１０２とマウス制御部１２とを起動させる。これにより、本装置を、ＵＳＢマウスとして使用することが可能となる（即ち、ＵＳＢマウス機能が実現される）。
【００２６】
この実施形態の携帯電話装置によれば、本装置に、ノート型パソコン等の携帯機器類が必要とするマウスの機能を代行させることができるので、上記機器類を携帯する際の荷物数（携帯点数）が減り、マウスの置き忘れや紛失の心配も無くなる効果が有る。
また、本装置をワイヤレスマウスとして使用する場合は、電池の残量管理も併せて行わなければならないが、電池が切れた場合にも、ＵＳＢマウスとして使用することができるので、外出先でも安心して使うことができる効果が有る。
さらに、既に多くの携帯電話に搭載されている多くの構成要素（機能ブロック）を共通要素として実現できるため、少なくとも、これらの共通要素については、新たな部品を設計したり、搭載したりする必要が無く、デザインや大きさも、既成製品の携帯電話装置をそのまま転用することが可能となる効果が有る。
【００２７】
（他の実施の形態）
前述の実施の形態は、実施対象の携帯電話装置１が折り畳み式携帯電話装置である場合であったが、本発明は、一般に、実施対象の携帯電話装置が、他の一般的な、手入力が可能な装置であっても適用可能である。
例えば、入力部（入力指示部）としてタッチパネルを有する下記の機器類にも適用することができる。
（１）  スライド式携帯電話装置
（２）  高機能携帯電話装置（スマートフォン）
また、本発明は、一般に、ポインティングデバイスを有する装置にも適用可能である。
図６は、ポインティングデバイスを有する装置の１例としての構成図である。
同図に示す装置は、入力部（入力指示部）として、ポインティングデバイス５０１と、左クリックキー５０２と、右クリックキー５０３と、を備える。
【００２８】
この場合、ポインティングデバイス５０１からの入力操作によって、マウスの移動機能と同等の移動機能を達成し、ノートパソコン等の表示部に表示されているカーソル移動を行うことができる。即ち、カメラ等を起動すること無くマウス機能を実現し、使用することができる。
なお、このような、スマートフォンや、ストレートタイプの筺体の場合は、内蔵されているＭＰＵまたはＣＰＵは、装置が開状態で入力が可能な状態、装置が閉状態で入力不可能な状態と判断して処理することができる。
【００２９】
本発明に係る携帯電話装置の各構成要素の処理の少なくとも一部をコンピュータ制御により実行するものとし、かつ、上記処理を、図３，４のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【符号の説明】
【００３０】
１  携帯電話装置（本発明の実施形態に係る装置）
１１  携帯電話機能部
１２  マウス制御部
１３  ＵＳＢ通信機能部
１４  Ｂｌｕｅｔｏｏｔｈ通信機能部
１０１  赤外線発光部
１０２  カメラ部
１０３  左クリックキー
１０４  ホィール
１０５  右クリックキー
１０６  ＵＳＢ入出力部
１０７  表示部
５０１  ポンディングデバイス
【図１】
2012185692.tif 000003
【図２】
2012185692.tif 000004
【図３】
2012185692.tif 000005
【図４】
2012185692.tif 000006
【図５】
2012185692.tif 000007
【図６】
2012185692.tif 000008